(57)【要約】【課題】変動入賞装置とは異なる特定の入賞口に入球した場合にのみ入賞容易状態を発現せしめる作動を、簡易な構造をもって実現し得る、新規な構造のパチンコ機を提供すること。【解決手段】互いに連動回転せしめられて、開閉部材５６，５６を備えた変動入賞装置４４に入った遊技球のみが接触せしめられる計数用係合部７２を備えた計数用回転体６６と、入賞口４０ａ，４０ｂに入った遊技球のみが接触せしめられて、該計数用係合部７２が遊技球と接触せしめられる位置と異なる位置に設けられる開放用係合部７０を備えた開放用回転体６８を設けると共に、該開放用回転体６８の回転に基づいて該開閉部材５６，５６を開閉作動せしめる開作動機構８２、８４、９６、９８、６０、９０、９２、９４、１０４および閉作動機構８２、８４、９８、６０、９０、９２、９４、１０４を設けた。【選択図】図３
2007215609.tif 000002
【特許請求の範囲】
【請求項１】
遊技領域に向けて開口せしめられた入球口の上流側に、遊技球が入り難くされた入賞困難状態と、入賞困難状態よりも遊技球が入り易くされた入賞容易状態を採り得る開閉部材を備えた変動入賞装置と、
該変動入賞装置から離れた位置に設けられた入賞口を備えており、
前記開閉部材の開閉作動を、前記入賞口への入球と前記変動入賞装置への入球とに基づいて制御するパチンコ機において、
前記入賞口から入球した遊技球を案内する入賞口案内路と、
該入賞口案内路と並列的に設けられて、前記入球口から入球した遊技球を案内する変動入賞案内路と、
連動機構によって連動回転せしめられる計数用回転体および開閉用回転体と、
前記計数用回転体に複数設けられて、前記変動入賞案内路を案内された遊技球が接触することによって該計数用回転体を所定量ずつ回転作動せしめる計数用係合部と、
前記開閉用回転体における、前記計数用回転体と対応する回転位置において前記計数用係合部が遊技球と接触する位置と異なる位置に設けられて、前記入賞口案内路を案内された遊技球が接触することによって該開閉用回転体を所定量ずつ回転作動せしめる開放用係合部と、
前記開閉用回転体の前記開放用係合部への遊技球の接触に基づいて前記開閉部材を開作動せしめる開作動機構と、
前記計数用回転体の前記計数用係合部への遊技球の接触に基づいて前記開閉部材を閉作動せしめる閉作動機構と
を、備えたことを特徴とするパチンコ機。
【請求項２】
前記計数用回転体と前記開閉用回転体において反転を阻止すると共に、遊技球の接触による正転方向での回動量を節度をもって制限する節度機構が設けられた請求項１に記載のパチンコ機。
【発明の詳細な説明】
【技術分野】
【０００１】
本発明は、遊技球が入り易い入賞容易状態と、遊技球が入り難い入賞困難状態を採り得る変動入賞装置を備えたパチンコ機に関するものである。
【背景技術】
【０００２】
従来から、この種の変動入賞装置を備えたパチンコ機として、変動入賞装置から離れた位置に設けられた入賞口への入球に基づいて変動入賞装置の開閉部材を開放して入賞容易状態を発現せしめると共に、入賞容易状態で変動入賞装置に所定数の遊技球が入った場合には、開閉部材を閉じて入賞困難状態を発現せしめるパチンコ機が知られている。
【０００３】
このような作動を行なうパチンコ機としては、例えば特許文献１にも示されているように、開閉部材の駆動機構としてソレノイドを用いて、かかるソレノイドを電気的に作動制御するようにされたものが多い。
【０００４】
しかし、このようなパチンコ機は、ソレノイドへの給電機構を設けたり、かかるソレノイドに対して電気的な作動制御を行なう必要がある。近年のパチンコ機は、装飾用の可動部材やＬＥＤ、音による演出など、多くの電子部品を制御する必要があって、それらの制御に加えて、ソレノイドの作動制御を行なうことは、制御および構造がより複雑になるという問題があった。
【０００５】
そこで、例えば特許文献２や特許文献３に記載されているように、変動入賞装置に入った遊技球によって回転せしめられる回転体を設けると共に、開閉部材の作動をかかる回転体の回転と機械的に連動せしめることによって、変動入賞装置の作動を機械的に制御するパチンコ機が多く提案されている。
【０００６】
ところが、これらの機械的な制御を行う変動入賞装置においては、何れも、入賞口に遊技球が入った場合のみならず、変動入賞装置に直接入球した場合にも、入賞容易状態が発現せしめられていた。従って、変動入賞装置に直接入球した場合には入賞容易状態を発現することなく、入賞口に入球した場合にのみ入賞容易状態を発現せしめる作動を実現することは不可能であった。
【０００７】
【特許文献１】特開２００４−２８３６２４号公報
【特許文献２】特許３４７１９２９号公報
【特許文献３】特許２９７４４８１号公報
【発明の開示】
【発明が解決しようとする課題】
【０００８】
ここにおいて、本発明は上述の如き事情を背景として為されたものであって、その解決課題とするところは、変動入賞装置に直接入球した場合には入賞容易状態を発現せしめることなく、変動入賞装置とは異なる特定の入賞口に入球した場合にのみ入賞容易状態を発現せしめる作動を、簡易な構造をもって実現し得る、新規な構造のパチンコ機を提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。
【００１０】
すなわち、本発明は、変動入賞装置に入った遊技球が接触せしめられる計数用係合部を備え、変動入賞装置の閉作動を行なう計数用回転体と、変動入賞装置とは異なる入賞口から入った遊技球が接触せしめられる開放用係合部を備え、変動入賞装置の開作動を行なう開閉用回転体とを連動して回転せしめると共に、それら計数用回転体と開閉用回転体には、各対応する位置において計数用係合部と回転用係合部の何れか一方を設けたことを、特徴とする。
【００１１】
このようにすれば、開閉用回転体が変動入賞装置を開作動せしめる回転位置にある場合、即ち、開放用係合部が遊技球と接触せしめられる状態にある場合には、計数用回転体は遊技球と接触せしめられることがない。これにより、入賞困難状態において変動入賞装置に直接に入球したとしても、計数用回転体が回転せしめられることがないことから、計数用回転体に合わせて開閉用回転体が回転せしめられることも回避される。それ故、開放用係合部が遊技球と接触せしめられた場合のみ、即ち、変動入賞装置とは異なる入賞口に入球した場合にのみ、変動入賞装置を入賞容易状態にするという作動を実現することが出来る。
【００１２】
そして、このような作動を、簡易な構造をもって実現することが出来ると共に、電気的な制御も不要とされることから、制御処理の負荷を軽減すると共に、設計の容易性も向上せしめられるのである。
【００１３】
なお、本発明における入賞困難状態とは、入賞容易状態に比して遊技球の入賞が困難であれば良いのであって、開閉部材が完全に閉じられて入球が不可能とされた状態のみならず、例えば、開閉部材が閉じた状態でも遊技球１つ程度の間隙が形成されて入球可能な状態なども含むものである。また、開閉用回転体に設けられる開放用係合部は、必ずしも一つに限定されることは無く、複数設けることも可能である。
【００１４】
また、本発明に係るパチンコ機においては、計数用回転体と開閉用回転体の反転を阻止すると共に、正転方向での回動量を節度をもって制限する節度機構が設けられた態様が、好適に採用され得る。
【００１５】
このようにすれば、計数用回転体および開閉用回転体の回転作動を安定的に行なうことが出来て、入賞した遊技球の数え間違い等の誤動作を防止することが出来る。なお、節度機構の具体的な構造としては、従来から用いられる公知の構造が適宜に採用可能である。例えば、計数用回転体および開閉用回転体の何れかに所謂ラチェット機構のような爪受を形成すると共にそれら回転体を支持する支持部材側に爪部材などを設けてかかる爪受と係合せしめたり、或いは、支持部材側に板ばねを設けて、計数用係合部乃至は開放用係合部に直接に係合せしめる等しても良い。
【発明を実施するための最良の形態】
【００１６】
以下、本発明を更に具体的に明らかにするために、本発明の実施形態について、図面を参照しつつ、詳細に説明する。
【００１７】
先ず、図１に、本発明の一実施形態としてのパチンコ機１０を示す。パチンコ機１０において機体の外郭をなす外枠１２の開口前面側には、各種の遊技用構成部材をセットする縦長方形の中枠１４が開閉および着脱自在に組み付けられている。中枠１４の前面側には、中枠１４に対して着脱自在に組み付けられた遊技盤１６を透視保護するためのガラス板が保持されたガラス枠１８と、上皿２０を備えた皿板２２が、それぞれ、開閉可能な状態で組み付けられている。また、上皿２０の下方には、下皿２４が設けられており、かかる下皿２４の右方には、発射ハンドル２６が設けられている。
【００１８】
そして、遊技者が発射ハンドル２６に対して回動操作可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００１９】
遊技盤１６は、表面に合成樹脂製のシートが被着された遊技板３２を備えており、かかる遊技板３２の表面側に固定されたガイドレール３４で囲まれた略円形の遊技領域３０の略中央には、特別図柄の変動表示や各種の演出表示を行なう図柄表示装置としての液晶表示器３６が取り付けられている。
【００２０】
また、液晶表示器３６の左右両側には、入賞口４０ａ、４０ｂが設けられている。これらの入賞口４０ａ，４０ｂは、何れも略同様の構造とされており、上方に開口するポケット形状とされている。そして、これらの入賞口４０ａ，４０ｂは遊技板３２の裏面を通る球連絡路（図示せず）の一方の端部に接続されていると共に、球連絡路の他方の端部が、後述する入賞案内路１０８に接続されている。これにより、入賞口４０ａ乃至は入賞口４０ｂに入った遊技球は、遊技板３２の裏側を通って入賞案内路１０８に案内されるようになっている。
【００２１】
また、液晶表示器３６の下側には、変動入賞装置としての始動入賞装置４２が設けられており、かかる始動入賞装置４２の下方には、大入賞口４３が設けられている。
【００２２】
大入賞口４３には、扉４５が開閉可能に配設されている。扉４５は、通常の遊技状態では閉状態に維持されて遊技者に不利な状態とされる一方、大当たりが発生した場合には開閉動作せしめられて遊技者に有利な大当たり状態とされるようになっている。
【００２３】
一方、始動入賞装置４２は、図２乃至図４に示すように、遊技板３２の前面に配設される入賞口部材４４と、遊技板３２の裏面に配設される機構部材４６とによって構成されており、入賞口部材４４と機構部材４６が遊技板３２を挟んで前後から取り付けられるようになっている。なお、図２においては、遊技板３２の前面に配設されて遊技者から視認可能とされた部位（入賞口部材４４）のみを示すと共に、図３および図４においては、入賞口部材４４と機構部材４６との間に介在せしめられる遊技板３２を省略して図示する。
【００２４】
入賞口部材４４は、取付板４８の前方に前飾り５０が取り付けられた構造とされており、全体として上方に開口するポケット形状とされている。そして、前飾り５０の下方における左右方向の略中央部分には、上方に開口して後方に延び出す導入部材５２が取り付けられている。導入部材５２は、全体に亘って一定の略Ｕ字状断面をもって延びる略半円筒形状の部材とされており、その上方の開口幅寸法は、遊技球の径寸法よりも僅かに大きく、遊技球を案内可能な寸法をもって形成されている。また、導入部材５２は、後方に行くに連れて下方に傾斜する状態で、取付板４８のさらに後方に大きく突出する長さ寸法をもって形成されている。そして、導入部材５２が取付板４８の前方に突出せしめられることによって、入球口としての上方に開口するポケット状の始動口５４が形成されている。
【００２５】
また、始動口５４の上方の左右両側には、開閉部材としての一対の羽根５６，５６が起立および傾動自在に配設されている。羽根５６は、その下部におけるやや外側寄りに設けられた回動軸５８によって取付板４８と前飾り５０の間で傾動可能に支持されていると共に、回動軸５８からやや離れた内側寄りの部位には、後方に突出するロッド状の係合突起６０が一体的に形成されている。
【００２６】
そして、後述する揺動部材９８によって係合突起６０に上向きの駆動力が及ぼされることによって、羽根５６に回動軸５８回りの駆動力が及ぼされて、羽根５６が外側へ回動せしめられるようになっている。ここにおいて、本実施形態においては、羽根５６，５６が起立せしめられることによって、遊技球が入り難い入賞困難状態が発現せしめられる一方、羽根５６，５６が傾動せしめられて開かれることによって、遊技球が入り易い入賞容易状態が発現せしめられるようになっている。なお、本実施形態においては、羽根５６，５６が起立せしめられた入賞困難状態においても、始動口５４が完全に塞がれることは無く、羽根５６，５６の間には始動口５４よりも僅かに大きな間隙が形成されて入球が可能とされている。
【００２７】
このような構造とされた入賞口部材４４と遊技板３２を挟んだ反対側には、機構部材４６が取り付けられる。機構部材４６は、上下方向に延びるカバー部材６２の下側部分に、回転部材６４が一軸回りで回転可能に支持された構造とされている。
【００２８】
回転部材６４は、計数用回転体としての大径円板部６６と、大径円板部６６よりも径寸法の小さな開閉用回転体としての小径円板部６８が同一中心軸上で一体的に形成されて、大径円板部６６と小径円板部６８が一体的に回転せしめられるようになっている。これら大径円板部６６と小径円板部６８は、何れも遊技球の径寸法よりもやや大きな軸方向寸法をもって形成されている。そして、小径円板部６８には、開放用係合部としての径方向外方に延び出す一枚の小径側接触片７０が形成されている。一方、大径円板部６６には、計数用係合部としての径方向外方に延び出す大径側接触片７２が周方向に適当な間隔を空けて複数（本実施形態においては４つ）形成されている。
【００２９】
ここにおいて、小径側接触片７０および大径側接触片７２は、回転部材６４の軸方向での投影において、同一部位には何れか一方のみが形成されており、特に本実施形態においては、小径側接触片７０および大径側接触片７２が、周方向で等間隔となるように形成されている。
【００３０】
また、小径円板部６８における軸方向の外側端縁部には、全周に亘って、小径側接触片７０および大径側接触片７２と等しい数の爪受７４が形成されている。一方、かかる爪受７４の上方には、爪部材７６がカバー部材６２によって揺動可能に支持されている。爪部材７６は、揺動軸７８と先端部との間に錘８０を有しており、錘８０によって先端が下がるようにされている。ここにおいて、爪受７４は、小径側接触片７０および大径側接触片７２が後述する球受板１１０の切欠１１２，１１４に入る位置で爪部材７６と係合する位置に形成されている。そして、かかる爪部材７６が爪受７４に係合せしめられることによって、回転部材６４は一方向（図３中、反時計回り）のみの回動が許容されて反転が阻止されており、これら爪受７４および爪部材７６を含んで節度機構が構成されている。
【００３１】
さらに、大径円板部６６の両側面における外周端縁部の周上の１箇所には、軸方向に突出する押圧突部８２，８２が形成されており、かかる押圧突部８２、８２がカバー部材６２の内部において上下方向に延びて配設された当接部材８４に当接可能とされている。
【００３２】
図５に、回転部材６４および当接部材８４を示す。当接部材８４は、中央に貫通孔８６をもって上下方向に延びる略枠体形状とされており、その上端部には、左右方向に突出する板状突部８８，８８が形成されている。なお、貫通孔８６の幅寸法は、大径円板部６６の軸方向厚さ寸法よりも僅かに大きくされており、大径円板部６６が貫通孔８６に入り込むようにされている。
【００３３】
このような形状とされた当接部材８４は、カバー部材６２に形成された上支持板９０および下支持板９２に取り付けられた支持ロッド９４、９４に対して、前後移動可能に組み付けられている。ここにおいて、支持ロッド９４、９４の先端部分には支持ロッド９４，９４の径寸法よりもやや大きな径寸法を有する係止部材９５，９５が取り付けられている。そして、係止部材９５，９５と当接部材８４の間には、付勢手段としてのコイルスプリング９６，９６が支持ロッド９４，９４に外挿されて圧縮状態で配設されており、当接部材８４に対して、回転部材６４へ向かう方向（図３中、左方向）への付勢力が常時及ぼされている。
【００３４】
また、当接部材８４における板状突部８８、８８の下方には、揺動部材９８，９８が一軸回りに回動可能な状態で配設されている。揺動部材９８には、上方に開口する上方切欠１００と、前方に開口する前方切欠１０２が形成されており、カバー部材６２に設けられた回動軸１０４によって回動可能に支持されている。そして、上方切欠１００に板状突部８８が差し込まれると共に、前方切欠１０２に羽根５６の係合突起６０が差し込まれている。
【００３５】
また、カバー部材６２の後端部には、図４に示す上面視において大径円板部６６と小径円板部６８との間に位置して上下方向に延びる仕切板１０５が形成されている。これにより、仕切板１０５を挟んで、大径円板部６６側には上下方向に延びて変動入賞案内路を構成する入球案内路１０６が形成される一方、小径円板部６８側には上下方向に延びて入賞口案内路を構成する入賞案内路１０８が形成されている。
【００３６】
ここにおいて、入球案内路１０６内には、導入部材５２の後方端縁部が開口せしめられている。これにより、始動口５４に入った遊技球は、導入部材５２を通って入球案内路１０６に案内されるようになっている。そして、入球案内路１０６を案内された遊技球は、仕切板１０５によって小径円板部６８側への転動が防止されており、大径円板部６６に形成された大径側接触片７２にのみ接触可能とされている。
【００３７】
一方、入賞案内路１０８の上端開口部は、入賞口４０ａ，４０ｂに接続されてパチンコ機１０の裏面に配設された図示しない球連絡路に接続されている。これにより、入賞口４０ａ，４０ｂに入った遊技球が入賞案内路１０８に案内されるようになっている。そして、入賞案内路１０８を案内された遊技球は、仕切板１０５によって大径円板部６６側への転動が防止されており、小径円板部６８に形成された小径側接触片７０にのみ接触可能とされている。
【００３８】
また、仕切板１０５の下方には、球受板１１０が後方に行くに連れて下方に傾斜せしめられた状態で配設されている。球受板１１０は、図６に示すように、カバー部材６２の左右方向の略全体に亘る幅寸法を有する略板形状とされており、大径側切欠１１２および小径側切欠１１４が形成されることによって、回転部材６４の回転を阻害しない程度で回転部材６４に接近せしめられている。これにより、入球案内路１０６および入賞案内路１０８を落下せしめられた遊技球が、球受板１１０によって係止されるようになっている。そして、入球案内路１０６を落下せしめられた遊技球は、カバー部材６２の側面に開口せしめられた排出孔１１６から始動入賞装置４２の外に排出されるようになっており、入賞案内路１０８を落下せしめられた遊技球は、仕切板１０５の下端縁部と球受板１１０の間に形成された間隙を通って、排出孔１１６から排出されるようになっている。
【００３９】
そして、カバー部材６２の前方端縁部に形成されて左右方向外方に広がる取付板部１１８，１１８が遊技板３２の裏面にビス止めなどされることによって、機構部材４６が遊技板３２の裏面に取り付けられるようになっている。
【００４０】
このような構造とされた始動入賞装置４２は、図３にも示すように、羽根５６，５６が起立せしめられた状態においては、小径円板部６８に設けられた小径側接触片７０が入賞案内路１０８内に位置せしめられている。そして、入賞口４０ａ，４０ｂに遊技球が入ると、かかる遊技球が入賞案内路１０８内を落下せしめられて、小径側接触片７０に接触せしめられる。その後、遊技球は小径側接触片７０を押しながら、球受板１１０によって係止されるまで落下せしめられる。これにより、回転部材６４が、小径側接触片７０が小径側切欠１１４内に位置せしめられるまで（本実施形態においては、図３中、反時計回りで７２度）回転せしめられる。
【００４１】
そして、回転部材６４が回転せしめられることにより、押圧突部８２による当接部材８４への押圧力が解除されて、当接部材８４がコイルスプリング９６，９６の付勢力によって支持板９０、９２側へ変位せしめられる。これにより、図７に示すように、板状突部８８が揺動部材９８を上方切欠１００内で支持板９０側へ押すこととなる。その結果、前方切欠１０２が上方へ変位せしめられて、羽根５６の係合突起６０に上方向への駆動力を及ぼすことによって、羽根５６が、回動軸５８を中心に回動せしめられて開放されるようになっている。このように、本実施形態においては、押圧突部８２、当接部材８４、コイルスプリング９６、揺動部材９８、羽根５６の係合突起６０、上支持板９０、下支持板９２、支持ロッド９４、回動軸１０４を含んで、開作動機構が構成されている。
【００４２】
そして、羽根５６，５６が開放状態とされて、小径側接触片７０が小径側切欠１１４内に位置せしめられると、大径側接触片７２が、入球案内路１０６内に（図３中、小径側接触片７０が位置せしめられていた位置に）位置せしめられる。このような状態で、遊技球が羽根５６，５６の間から始動口５４に入ると、かかる遊技球は導入部材５２によって入球案内路１０６に案内されて、入球案内路１０６内を落下せしめられる。その後、遊技球は大径側接触片７２に接触せしめられて、大径側接触片７２を押しながら、球受板１１０によって係止されるまで落下せしめられる。これにより、回転部材６４が、大径側接触片７２が大径側切欠１１２内に位置せしめられるまで回転せしめられる。
【００４３】
なお、この状態では、押圧突部８２は当接部材８４とは非接触とされて、当接部材８４に対する押圧力が及ぼされていないことから、当接部材８４はコイルスプリング９６，９６によって支持板９０、９２側への変位位置が維持されており、羽根５６，５６は開放状態が維持されている。
【００４４】
そして、遊技球が始動口５４に入る度に、遊技球が大径側接触片７２に接触せしめられることによって、回転部材６４が所定角度ずつ回転（本実施形態においては、図３中、反時計回りで７２度）せしめられるようになっており、羽根５６，５６が開放された後に、大径側接触片７２と等しい数（本実施形態においては、４つ）の遊技球が始動口５４に入ることによって、回転部材６４が元の位置（図３の位置）に戻されるようになっている。
【００４５】
ここにおいて、特に本実施形態においては、小径円板部６８に形成された爪受７４，７４に爪部材７６が係合せしめられている。これにより、回転部材６４の逆方向（図３中、時計回り方向）への回転が阻止されると共に、一回の遊技球の接触による回転量が小径側接触片７０および大径側接触片７２の周方向の離隔距離と等しくされて、回転部材６４の過渡の回転が制限されている。
【００４６】
そして、回転部材６４が元の位置（図３に示す、小径側接触片７０が入賞案内路１０８内に位置せしめられる回転位置）に戻される際に、押圧突部８２、８２が、当接部材８４に当接せしめられて、当接部材８４に対してコイルスプリング９６，９６の付勢力に抗して係止部材９５側への押圧力を及ぼすこととなる。これにより、当接部材８４が係止部材９５側に変位せしめられて、揺動部材９８の前方切欠１０２が下方へ変位せしめられる。その結果、羽根５６の係合突起６０が下方へ変位せしめられて、羽根５６が回動軸５８回りで回動せしめられて起立せしめられることとなる。このように、本実施形態においては、押圧突部８２、当接部材８４、揺動部材９８、羽根５６の係合突起６０、上支持板９０、下支持板９２、支持ロッド９４、回動軸１０４を含んで、閉作動機構が構成されている。
【００４７】
ここにおいて、特に本実施形態においては、羽根５６が起立せしめられた状態において、小径側接触片７０が入賞案内路１０８内に位置せしめられると共に、大径側接触片７２は、入球案内路１０６内に位置せしめられることのないようにされている。これにより、羽根５６，５６が閉じられた状態においては、遊技球が入賞案内路１０８を落下して小径側接触片７０に接触せしめられる場合にのみ回転部材６４が回転せしめられるようになっており、始動口５４に遊技球が入った場合でも、かかる遊技球は大径側接触片７２に接触することなく、即ち、回転部材６４を回転せしめることなく始動入賞装置４２の外部に排出されるようになっている。
【００４８】
一方、羽根５６、５６が開放せしめられた状態においては、小径側接触片７０は入賞案内路１０８内に位置せしめられることはなく、大径側接触片７２が入球案内路１０６内に位置せしめられるようになっている。これにより、羽根５６，５６が開放せしめられた状態においては、遊技球が始動口５４に入った場合にのみ回転部材６４が回転せしめられるようにされており、羽根５６，５６の開放中に入賞口４０ａ，４０ｂへ入球した場合でも、回転部材６４は回転せしめられないようになっている。
【００４９】
このように、本実施形態における始動入賞装置４２は、羽根５６，５６が閉じられている場合には、始動口５４に入球したとしても羽根５６，５６が開放されることはなく、入賞口４０ａ，４０ｂに入球した場合にのみ羽根５６，５６が開放される一方、羽根５６，５６が開放された状態においては、入賞口４０ａ，４０ｂへの入球に関わらず、所定数の遊技球が始動口５４に入った場合にのみ、羽根５６，５６が閉じられるようになっている。そして、本実施形態においては、このような作動を、電気的な制御等を行なうこと無しに、機械的に実現することが可能とされているのである。
【００５０】
さらに、特に本実施形態においては、羽根５６，５６が閉じられた状態下においては、押圧突部８２が当接部材８４に係合することによって、当接部材８４が後退する（図３中、左方向へ変位する）ことを防ぐことが出来る。これにより、例えば、羽根５６，５６から押圧突部８２に至る揺動部材９８、回動軸１０４、当接部材８４等の各部材に剛性の高い材料を用いることによって、羽根５６，５６が閉じられた状態で、直接に羽根５６，５６を開こうとした場合でも、押圧突部８２で当接部材８４の後退を強固に阻止して、羽根５６，５６を開放させなくすることも出来るのである。
【００５１】
また、本発明は、前述の如き一対の羽根５６，５６が開閉せしめられる構造に限らず、図１に示した大入賞口４３のような扉４５を備えた入賞装置に本発明を適用することも可能である。そのような大入賞口に本発明を適用する例として、図８に、第二の実施形態として、変動入賞装置としての大入賞装置１３０を示す。なお、以下に記載の実施形態において、前述の始動入賞装置４２と実質的に同じ部材および部位については、前述の実施形態と同一の符号を付することによって、詳細な説明を省略する。
【００５２】
大入賞装置１３０は、開閉部材としての扉１３２を備えた入賞口部材１３４が遊技板３２の前面から取り付けられると共に、遊技板３２の裏面から前述の機構部材４６と略同様の構造を有する機構部材１３６が取り付けられて構成されている。
【００５３】
入賞口部材１３４は、略箱体形状のケース１３８の前面に開口せしめられて形成された大入賞口１３９に、扉１３２が開閉可能に取り付けられた構造とされている。扉１３２は、左右方向に延びる略矩形板形状とされており、その下側部分に設けられた回動軸１４０を中心に回動可能にケース１３８に取り付けられている。ここにおいて、扉１３２の左右方向両端縁部には、前方に突出する係止突部１４２が形成されている。これにより、扉１３２の重心位置はやや前方に位置せしめられており、後述するロッド状部１４８による係止力が及ぼされていない状態では、扉１３２は自重によって前方に傾動せしめられるようにされている。そして、係止突部１４２がケース１３８に当接した状態で、傾動が制限されて開口状態が発現されるようになっており、かかる開口状態が、遊技球がケース１３８に容易に入ることの出来る入賞容易状態とされる。また、扉１３２には、起立状態で回動軸１４０から下方に突出する案内突部１４４が一体的に形成されている。案内突部１４４には、扉１３２の起立状態において、裏面に凹となる湾曲面１４５が形成されている。
【００５４】
なお、本態様における大入賞口１３９は、所定寸法をもって左右方向に延びる長手形状とされており、その下端部には、中央部に向けて下る傾斜部材１４６が設けられている。そして、前述の始動入賞装置４２と同様に、大入賞口１３９の中央部分には、導入部材５２が配設されている。これにより、大入賞口１３９に入った遊技球は、傾斜部材１４６によって導入部材５２に案内されて大入賞装置１３０の内部に案内されるようになっている。
【００５５】
一方、機構部材１３６は、前述の機構部材４６と略同様の構造とされている。そして、本態様においては、揺動部材９８の形状が僅かに異ならされており、揺動部材９８には、前方に突出するロッド状部１４８が形成されている。そして、ロッド状部１４８がケース１３８の内部に差し入れられて、その先端部分が扉１３２における案内突部１４４の湾曲面１４５に係合せしめられている。
【００５６】
なお、図面からは明かではないが、本態様においては、入賞口部材１３４が遊技板３２の後方に突出せしめられていることから、かかる入賞口部材１３４の突出量を考慮して、機構部材１３６におけるカバー部材６２の前方への突出量が、前記実施形態よりもやや大きくされている。
【００５７】
このような構造とされた大入賞装置１３０は、前述の始動入賞装置４２と同様に、遊技球の入賞に基づいて揺動部材９８が揺動せしめられる。即ち、入賞口４０ａ，４０ｂへの入球に基づいて、揺動部材９８のロッド状部１４８が上方へ回動せしめられて、扉１３２が自重によって前方へ回動せしめられることによって、大入賞口１３９が開口状態とされる。これにより、遊技球が入り易い入賞容易状態が発現せしめられる。
【００５８】
そして、大入賞口１３９への入球が所定数に達するまで、ロッド状部１４８の変位位置は維持されており、扉１３２の開状態が維持される。続いて、大入賞口１３９への入球が所定数に達した場合には、揺動部材９８が下方に回動せしめられて、ロッド状部１４８が扉１３２の案内突部１４４と係合しつつ下方へ変位せしめられる。ここにおいて、ロッド状部１４８と湾曲面１４５の案内作用によって、扉１３２が起立せしめられて、大入賞口１３９を閉じる。これにより、遊技球が入球困難な入賞困難状態が発現されることとなるのである。このように、本実施形態においては、揺動部材９８のロッド状部１４８、案内突部１４４、湾曲面１４５を含んで、開作動機構および閉作動機構が構成されている。
【００５９】
以上のように、本実施形態によっても、扉１３２が開放された後には、入賞口４０ａ，４０ｂへの入球に関わらず、所定数の遊技球が扉１３２に入らない限り、扉１３２の開状態を維持することが出来る。そして、かかる作動を電気的な制御なしに、機械的な制御で実現することが可能とされることによって、制御態様の多様化、遊技球の転動態様の設計自由度の向上等を図ることが出来るのである。
【００６０】
さらに、本実施形態においても、前述の実施形態と同様に、揺動部材９８のロッド状部１４８、当接部材８４、扉１３２等に剛性の高い材料を用いることによって、当接部材８４の後退を押圧突部８２で係止して強固に阻止することが出来る。これにより、例えば、直接に扉１３２を開こうとした場合にも、扉１３２の閉状態を強固に維持して、扉１３２を開き難くすることも出来るのである。
【００６１】
以上、本発明の幾つかの実施形態について詳述してきたが、これらはあくまでも例示であって、本発明は、かかる実施形態における具体的な記載によって、何等、限定的に解釈されるものではない。
【００６２】
例えば、入球案内路１０６や入賞案内路１０８の具体的な形状や配設位置等は、当業者の判断において適宜に変更可能である。更に、回転部材６４に設ける小径側接触片７０および大径側接触片７２の枚数や配設間隔などについても、適宜に設定することが可能であって、必ずしも等間隔ではなく、不均一な間隔で配設する等しても良い。
【００６３】
さらに、前述の実施形態においては、支持ロッド９４を上下に設けて、当接部材８４の前後方向の移動を安定して行なうようにされていたが、例えば、上側の支持ロッド９４のみによって当接部材８４を支持せしめる等しても良い。
【００６４】
また、前述の実施形態においては、大径円板部６６と小径円板部６８が一体的に形成されることによって、計数用回転体および開閉用回転体を連動して回転せしめる連動機構が構成されていたが、計数用回転体および開閉用回転体は互いに連動して回転せしめられれば良いのであって、必ずしも一体的に構成されている必要は無い。従って、例えば、これら計数用回転体および開閉用回転体を別体として構成して、適当な歯車機構を介して連動回転せしめることによって、かかる歯車機構を連動機構とする等しても良い。加えて、計数用係合部および開放用係合部は、必ずしも遊技球が直接に接触せしめられる必要はなく、他の部材を介して間接的に接触せしめられても良い。
【００６５】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００６６】
なお、上記実施形態から把握できる本発明の技術的思想について以下に記載する。
【００６７】
（１）往復移動可能に設けられた往復部材の一方の移動端位置において前記開閉部材を開状態にすると共に、他方の移動端位置において該開閉部材を閉状態とする連動開閉機構と、該往復部材に一方向の付勢力を及ぼすことによって該往復部材を該一方の移動端位置に位置せしめる付勢手段と、前記開閉用回転体に設けた押圧部を前記往復部材に当接せしめることによって該開閉用回転体の回転に基づいて該往復部材を該付勢手段の付勢力に抗して該他方の移動端位置に位置せしめる抗付勢手段とを、設けることによって、前記開作動機構および前記閉作動機構を構成した請求項１または２に記載のパチンコ機。
【００６８】
このようにすれば、開閉用回転体と往復部材を直接に当接せしめることによって、開閉用回転体の回転に基づく開閉部材の開閉作動を安定して行なうことが出来る。例えば、上記実施形態においては、当接部材８４によって往復部材が構成されており、揺動部材９８および揺動部材９８に係合せしめられる羽根５６の係合突起６０を含んで連動開閉機構が構成されている。そして、コイルスプリング９６によって付勢手段が構成されていると共に、回転部材６４に設けられた押圧突部８２が押圧部とされることによって、抗付勢手段が構成されている。
【図面の簡単な説明】
【００６９】
【図１】本発明の第一の実施形態としてのパチンコ機を示す正面図。
【図２】同パチンコ機に設けられた始動入賞装置を示す正面説明図。
【図３】同始動入賞装置の断面説明図。
【図４】同始動入賞装置の上面説明図。
【図５】同始動入賞装置に設けられた開閉用回転体および当接部材を示す正面説明図。
【図６】同始動入賞装置に設けられた開閉用回転体および球受板を示す上面説明図。
【図７】同始動入賞装置に設けられた開放部材の開放状態を示す断面説明図。
【図８】本発明の第二の実施形態としての大入賞装置を示す断面説明図。
【符号の説明】
【００７０】
１０：パチンコ機、３２：遊技板、４０ａ：入賞口、４０ｂ：入賞口、４２：始動入賞装置、４３：大入賞口、４４：入賞口部材、４６：機構部材、５４：始動口、５６：羽根、６４：回転部材、６６：大径円板部、６８：小径円板部、７０：小径側接触片、７２：大径側接触片、７４：爪受、７６：爪部材、８２：押圧突部、８４：当接部材、９６：コイルスプリング、１０６：入球案内路、１０８：入賞案内路、１１０：球受板、１１６：排出孔
【図１】
2007215609.tif 000003
【図２】
2007215609.tif 000004
【図３】
2007215609.tif 000005
【図４】
2007215609.tif 000006
【図５】
2007215609.tif 000007
【図６】
2007215609.tif 000008
【図７】
2007215609.tif 000009
【図８】
2007215609.tif 000010